【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
吸気口と、排気口と、これらの間の空洞とを有する筐体と、
前記吸気口と前記排気口との間の電極アセンブリであって、前記電極アセンブリが複数の第１の電極を含み、および前記第１の電極が内部の第１の導電部と前記内部の第１の導電部上に配設された１つ以上の収集構造とを含み、さらに前記１つ以上の収集構造は前記空洞を通る気流と概して平行な外面を有する連続気泡構造を含む、該電極アセンブリと、
前記電極アセンブリ内で前記第１の電極と交互に列で配設された１つ以上の第２の電極であって、前記第１の電極は第１の電位を有しおよび前記第２の電極は前記第１の電位とは異なる第２の電位を有する、該第２の電極と、
前記吸気口の少なくとも近位で前記空洞内に配設されたコロナ電極と
を具えたことを特徴とする空気フィルタ。
【請求項２】
前記第１の電極は、前記コロナ電極に少なくとも隣接する近位端部領域を含み、前記内部の導電部は、第１の導電部であり、および前記第１の電極のうちの少なくともいくつかは、前記１つ以上の収集構造と前記近位端部上に配設された第２の収集部との間の第２の導電部を含むことを特徴とする請求項１に記載の空気フィルタ。
【請求項３】
前記第２の導電部は、前記１つ以上の収集構造の前記第１の材料の第１の電気抵抗率より低い第２の電気抵抗率を有する第２の材料を含むことを特徴とする請求項２に記載の空気フィルタ。
【請求項４】
前記第２の収集部は、前記第２の電気抵抗率を超え、前記第１の電気抵抗率とは異なる第３の電気抵抗率を有することを特徴とする請求項３に記載の空気フィルタ。
【請求項５】
前記１つ以上の収集構造は、メラミン発泡体を含むことを特徴とする請求項１に記載の空気フィルタ。
【請求項６】
前記１つ以上の収集構造は、消毒材料および汚染低減材料のうちの少なくとも１つをさらに含むことを特徴とする請求項１に記載の空気フィルタ。
【請求項７】
前記第２の電極は、第１の端部と、第２の端部と、これらの間の中間部とを含み、前記第１の端部および前記第２の端部のうちの少なくとも１つは、前記中間部の第２の幅を超える第１の幅を有する突起部を含むことを特徴とする請求項１に記載の空気フィルタ。
【請求項８】
前記コロナ電極は、ワイヤを含み、前記空気フィルタは、前記ワイヤ上の第１の位置から前記ワイヤ上の第２の位置の方へ摺動可能に移動するように構成された浄化装置をさらに含むことを特徴とする請求項１に記載の空気フィルタ。
【請求項９】
前記浄化装置は、中を通って前記ワイヤを受容するように構成された中央ボアを有するプロペラを含み、および前記中央ボアは、前記コロナ電極に係合するように構成された前記プロペラの内面を画定することを特徴とする請求項８に記載の空気フィルタ。
【請求項１０】
前記浄化装置は、前記第２の位置の近位に配設された留め具を含み、前記留め具は、気流に応じて第１の構成と第２の構成との間で交互になるように構成され、前記第２の構成の前記留め具は、前記気流がないとき、前記浄化装置を前記第１の位置に戻させることを特徴とする請求項８に記載の空気フィルタ。
【請求項１１】
空気を濾過する方法であって、
空気流路内に配列された複数のコロナ電極を用いて電場を作り出すこととであって、前記コロナ電極は、気流からの空気分子の少なくとも一部分をイオン化するように位置決めされた、該電場を作り出すことと、
前記コロナ電極から離間された複数の第１の電極で第１の電位を印加することであって、前記第１の電極は、
前記第１の電位で動作するように構成された導電部と、
前記導電部に取り外し可能に結合され、かつ連続気泡構造を有する多孔質材料を含む、収集部と、
前記空気流路の主要方向に実質的に平行な第１の表面であって、前記第１の電位とは異なる電位を有する、該第１の表面と、を含む、前記第１の電位を印加することと、
前記第１の電極に平行かつそれから離間された列で配設された複数の第２の電極で第２の電位を印加することであって、前記第２の電位は前記第１の電位とは異なる、該第２の電位を印加することと、
隣接する第１の電極の方へと前記イオン化された気体分子に電気的に結合された粒子状物質を反発させる、前記第２の電極で前記第２の電位を印加することと、
前記収集部で、粒子状物質を受容することと、
を具えたことを特徴とする方法。
【請求項１２】
前記多孔質材料は、水がないとき、導電性であることを特徴とする請求項１１に記載の方法。
【請求項１３】
前記コロナ電極を自動的に浄化することをさらに含み、前記コロナ電極のうちの少なくとも１つは、気流に応じて前記コロナ電極に沿って摺動可能に移動するように構成された浄化装置を含み、前記浄化装置は、中を通って前記コロナ電極のうちの１つを受容するように構成された中央ボアを有するプロペラを含み、前記中央ボアは、前記コロナ電極に係合するように構成された前記プロペラの内面を画定することを特徴とする請求項１１に記載の方法。
【請求項１４】
吸気口と、排気口と、空洞とを有する筐体と、
前記吸気口に少なくとも近接する前記空洞内のイオン化段であって、前記吸気口を介して前記空洞に入る空気中の気体分子をイオン化するように構成されたコロナ電極を含む、該イオン化段と、
前記イオン化段と前記排気口との間の前記空洞内の収集段であって、前記収集段が、
前記空洞を通る気流と概して平行な外面を有する複数の収集電極であって、第１の電位で動作するように構成された、該コロナ電極と、
隣接する収集電極の方へと前記イオン化された気体分子に電気的に結合された粒子状物質を反発させるように構成された複数の反発する電極であって、前記反発する電極と前記収集電極とは前記収集段において列で交互に配設され、および前記反発する電極は前記第１の電位とは異なる第２の電位で動作するように構成された、該複数の反発する電極と、
少なくとも１つの前記収集電極上の収集部であって、前記粒子状物質を受容しおよび収集するように構成された、連続気泡構造を有する多孔質材料を含む、該収集部と、を含む、前記収集段と
を具えたことを特徴とする静電集塵器。
【請求項１５】
前記多孔質材料は、導電材料を含むことを特徴とする請求項１４に記載の静電集塵器。
【請求項１６】
前記収集部は、第１の収集部であり、および前記収集電極の少なくとも１つは、前記多孔質材料とは異なる材料で作成された第２の収集部をさらに含むことを特徴とする請求項１４に記載の静電集塵器。
【請求項１７】
前記多孔質材料は、メラミン発泡体を含み、前記第２の収集部は、活性炭を含むことを特徴とする請求項１６に記載の静電集塵器。
【請求項１８】
前記収集電極の前記外面は、前記多孔質材料と、揮発性有機化合物を破壊するように構成された材料との組み合わせを含むことを特徴とする請求項１４に記載の静電集塵器。
【請求項１９】
前記収集電極の前記外面は、前記多孔質材料と消毒材料との組み合わせを含むことを特徴とする請求項１４に記載の静電集塵器。
【請求項２０】
前記吸気口と前記イオン化段との間の電気的に接地された空気浸透可能な段をさらに含むことを特徴とする請求項１４に記載の静電集塵器。
【請求項２１】
前記吸気口と前記イオン化段との間に配設された第１の近接センサをさらに含み、前記近接センサは、前記吸気口の少なくとも近位で物体を検知した際に、前記イオン化段への電力を停止するように構成されたことを特徴とする請求項１４に記載の静電集塵器。
【請求項２２】
前記収集電極は、内部導電部を含み、前記内部導電部は、前記収集電極の前記外面で第２の電位とは異なる第１の電位を有することを特徴とする請求項１４に記載の静電集塵器。